(57)【要約】【課題】観葉植物等を設置でき、取り扱いが容易、且つ、均一発光を実現した照明器具を提供する。【解決手段】ＬＥＤ素子４２を備えた光源部４１及び該光源部４１に給電する電源部３１を有する器具本体１２と、透光性を有し、前記器具本体１２を覆うグローブ６１と、を備えた照明器具１１であって、前記グローブ６１は、その外側に開口する凹部６３を有し、前記光源部４１は、前記ＬＥＤ素子４２から出射された光を拡散する光制御部材５１を有し、前記器具本体１２は、前記ＬＥＤ素子４２と対向する位置に該ＬＥＤ素子４２から出射された光を反射する反射板８１を有する。【選択図】図３
2017157350.tif 000002
【特許請求の範囲】
【請求項１】
発光素子を備えた光源部及び該光源部に給電する電源部を有する器具本体と、
透光性を有し、前記器具本体を覆うグローブと、を備えた照明器具であって、
前記グローブは、その外側に開口する凹部を有し、
前記光源部は、前記発光素子から出射された光を拡散する光制御部材を有し、
前記器具本体は、前記発光素子と対向する位置に該発光素子から出射された光を反射する反射板を有する、照明器具。
【請求項２】
前記光源部は、平面視において前記グローブの内部の中央付近に配置される、請求項１に記載の照明器具。
【請求項３】
前記光源部は、フレーム部により前記反射板に対向して支持される、請求項１または請求項２に記載の照明器具。
【請求項４】
前記グローブは、その内面に曲面形状を有する、請求項１から請求項３の何れか一項に記載の照明器具。
【請求項５】
前記凹部は、底部を有し、
前記底部と隣接するように前記器具本体が配置される、請求項１から４の何れか一項に記載の照明器具。
【発明の詳細な説明】
【技術分野】
【０００１】
本発明は、観葉植物等を設置できる照明器具に関する。
【背景技術】
【０００２】
従来から特許文献１に記載された照明器具のような観葉植物等を設置できる照明器具が知られている。
【０００３】
特許文献１では、ネオン管を光源とした照明器具が開示されている。この照明器具は、中央部に空間を設けたケース内にネオン管を装着し、ネオン管の光をケースの外装に照射する。この照明器具では、ケース中央部の空間に観葉植物等が設置され、ネオン管の光と観葉植物等を同時に観賞することが出来る。
【先行技術文献】
【特許文献】
【０００４】
【特許文献１】特開平８−３３９７０６号公報
【発明の概要】
【発明が解決しようとする課題】
【０００５】
しかしながら、特許文献１のように光源としてネオン管を用いた照明器具の場合、ネオン管に高電圧を印加することによってネオン管を発光させる。高電圧を印加する必要があるので、使用者にとって取り扱いが難しい場合もあった。また、ネオン管はガラス管で形成されているため、耐衝撃性が低く、高い加工技術を要し、製造上取り扱いにくい場合もあった。また、特許文献１のようにネオン管をケースの側面に沿って装着するような構造では、ケースを全体的に均一発光させるために複数のネオン管を装着する必要があった。
【０００６】
そこで、本発明は、上記課題に鑑みてなされたものであり、観葉植物等を設置でき、取り扱いが容易、且つ、均一発光を実現した照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
発光素子を備えた光源部及び該光源部に給電する電源部を有する器具本体と、
透光性を有し、前記器具本体を覆うグローブと、を備えた照明器具であって、
前記グローブは、その外側に開口する凹部を有し、
前記光源部は、前記発光素子から出射された光を拡散する光制御部材を有し、
前記器具本体は、前記発光素子と対向する位置に該発光素子から出射された光を反射する反射板を有するものである。
【０００９】
本願に開示する照明器具において、
前記光源部は、平面視において前記グローブの内部の中央付近に配置されることが好ましい。
【００１０】
本願に開示する照明器具において、
前記光源部は、フレーム部により前記反射板に対向して支持されることが好ましい。
【００１１】
本願に開示する照明器具において、
前記グローブは、その内面に曲面形状を有することが好ましい。
【００１２】
本願に開示する照明器具において、
前記凹部は、底部を有し、
前記底部と隣接するように前記器具本体が配置されることが好ましい。
【発明の効果】
【００１３】
本発明によれば、観葉植物等を設置でき、取り扱いが容易、且つ、均一発光を実現した照明器具を提供することができる。
【図面の簡単な説明】
【００１４】
【図１】本発明の一実施形態に係る照明器具を示す斜視図。
【図２】同じく照明器具を示す底面図。
【図３】図２のＡ−Ａにおける断面図。
【図４】図３におけるＢ矢視図。
【図５】図３のＣ−Ｃにおける断面図。
【図６】灯具（光制御部材を取り外した状態）を示す底面図。
【発明を実施するための形態】
【００１５】
本発明の実施形態に係る照明器具１１について、図１から図６を用いて説明する。本実施形態に係る照明器具１１は、ＬＥＤ素子４２を光源とする照明器具である。照明器具１１は、例えば屋内等の所定の載置面（例えば、床面やテーブル面）に載置されるプランタースタンド兼用のスタンドライトとして使用することが可能である。以下の説明では、照明器具１１が有する灯具２０の光を照射する側を灯具２０の照射面側とする。照明器具１１における床面等の載置面に対向する側を照明器具１１の底面側として説明する。灯具２０の照射面側とは、灯具２０の表面側とし、直下方向と直下方向と略直交する側面方向の両方を含む。また、図３、図５等における上下方向を、照明器具１１の「上下方向」とし、照明器具１１の上下方向に直交する方向を照明器具１１の「径方向」として説明する。また、以下の説明において、上方から照明器具１１等を視た状態を平面視とする。上下方向に対して直交方向から照明器具１１等を視た状態を側面視とする。また、図４において、電源カバー部材３３の一部を除去し、第１収容部２３ｂ内を一部露出するように描写する。
【００１６】
図１から図６に示すように、照明器具１１は、器具本体１２と、グローブ６１とを主に備える。照明器具１１の外形は、平面視において円形状であって、側面視においてオーバル形状である。また、照明器具１１の外形は、照明器具１１の高さ方向（図３の照明器具１１の上下方向）の寸法が、照明器具１１の径方向（図３の照明器具１１の上下方向に対して直交方向）の寸法よりも小さい形状である。照明器具１１の外形は、グローブ６１により器具本体１２全体が覆われるため、グローブ６１の外形と同一である。
なお、照明器具１１の外形形状は、本実施形態に限定されるものではない。平面視において円形状以外に、例えば、オーバル形状、正方形状、長方形状、多角形状や扇形、またはそれらを組み合わせた形状にすることもできる。
【００１７】
器具本体１２は、灯具２０、フレーム部７１、及び反射板８１を主に備える。灯具２０は、灯具主体２１、電源部３１、光源部（ＬＥＤモジュール基板）４１、及び拡散カバーである光制御部材５１を主に備える。
【００１８】
灯具主体２１は、平面視において略円形状であって、中央部が灯具２０の照射面側（図３では、下方）に突出した形状の部材である。灯具主体２１は、電源部３１、光源部４１、及び光制御部材５１等を保持するものである。具体的には、灯具主体２１は、電源部３１及び配線等を照射面側の反対側の後述する収容部２３に収容し、照射面側に光源部４１、及び光制御部材５１を取り付けて保持する部材である。灯具主体２１を構成する材料としては、例えば熱伝導率の高いアルミニウムやアルミニウム合金等の金属材料が挙げられる。灯具主体２１は、光源部４１で発生した熱を伝えて外部に放出する放熱機能も有する。灯具主体２１は、電源部３１、光源部４１、及び光制御部材５１等を保持可能な機械的性質と、光源部４１が発する熱を放熱させるための熱伝導性とを考慮し、アルミニウム等の金属材料を用いて形成されている。灯具主体２１は、平面視における外形形状が、後述するグローブ６１の凹部６３の底部６３ｂの外形形状よりもやや小さくなるように形成されている。具体的には、灯具主体２１の平面視における直径寸法は、凹部６３の底部６３ｂの平面視における直径寸法よりもやや小さい。
なお、灯具主体２１は、必要な機械的性質や熱伝導率が確保できる材料であれば、アルミニウムなどの金属に限らず、樹脂などの他の材料、もしくはそれらの組み合わせで形成することができる。本実施形態の灯具主体２１は、中央部が照射面側（下側）に突出した形状に形成されるが、このように、灯具主体２１を形成することで、灯具主体２１の衝撃強度や剛性を高めることができる。
また、本実施形態においては、灯具主体２１の形状として灯具主体２１の中央部が照射面側に突出した形状に形成されているが、この形状に特に限定するものではない。
【００１９】
灯具主体２１は、中央凸部２２、光源取付部２５、段差部２６及び外周縁部２７を主に有している。
【００２０】
中央凸部２２は、平面視が略円形状で外形が灯具２０の照射面側（下側）に向かって凸状に突出した中空の部分である。中央凸部２２は、径方向の中央部において照射面側に突出する略円錐形状の反射部２２ａと、該反射部２２ａの周囲に円環状に形成される円環部２２ｂと、該円環部２２ｂの外周縁から上方に延設される略円筒状の円筒部２２ｃを有している。反射部２２ａは、光制御部材５１の内壁面で反射された光を反射して照射面側に出射する部分である。中央凸部２２の照射面側の反対面側は、凹状の収容部２３が形成されている。
【００２１】
収容部２３は、電源部３１や配線３６等を収容して配置するための空間であり、内部にこれらを収容するための高さ及び幅が確保されている。収容部２３は、有底略円筒状の空間であって、直径方向に亘って該収容部２３を２分割する隔壁２３ａを有している（図４参照）。隔壁２３ａの上端は、上下方向において灯具主体２１の上端近傍まで延出されている。収容部２３は、隔壁２３ａにより区画される、電源部３１を収容するための第１収容部２３ｂと、該電源部３１から延出される配線３６等を配置するための第２収容部２３ｃを有している。隔壁２３ａの上端には、配線３６を挿通するための切欠き部２３ｄが形成されている。
【００２２】
光源取付部２５は、光源部（ＬＥＤモジュール基板）４１が取り付けられる部分である。光源取付部２５は、中央凸部２２の円筒部２２ｃの上端から径方向外側に延出される平面視円環状の平板部分である。光源取付部２５は、円環部２２ｂから上下方向に所定間隔（円筒部２２ｃの上下方向の高さ寸法分）離間して中央凸部２２の周囲に形成される段部であり、反射部２２ａ及び円環部２２ｂよりも上方に位置している。光源取付部２５は、略円環状の取付面２５ａを有し、該取付面２５ａに光源部４１の基板４３が当接した状態で取り付けられる。灯具主体２１は、光源部４１で発生した熱を伝えて外部に放出する放熱機能も有するため、光源部４１が当接される光源取付部２５の取付面２５ａは、光源部４１との接触面積が広くなるよう平坦に形成されている。
なお、本実施形態では、光源取付部２５の取付面２５ａの平面視形状を略円環状としているが、特に限定するものではなく、少なくとも基板４３の一部が取付可能であればよく、円環状以外のその他の形状であってもよい。
【００２３】
光源取付部２５の取付面側には、該光源取付部２５の周方向に沿って上方に突出して平面視半円弧状に形成される複数（本実施形態では、２つ）の突出片２５ｂが設けられている。複数の突出片２５ｂは、径方向に所定間隔離間して配置されている。複数の突出片２５ｂは、光源部４１で発生した熱を放熱するための放熱用フィンの役割をしている。光源取付部２５の外周端には、該外周端から上方に延出される略円筒状の段差部２６が連設されている。
なお、本実施形態では、光源取付部２５の取付面側に半円弧状の突出片２５ｂを設ける構成としているが、特に限定するものではなく、突出片２５ｂの形状は任意であり、突出片２５ｂを設けない構成とすることもできる。
【００２４】
外周縁部２７は、段差部２６の上端から径方向外側に突出した、平面視において、所定幅を有する略円環状の部分である。外周縁部２７は、光源取付部２５よりも径方向外側に配置され、上下方向において光源取付部２５よりも上方に位置する。外周縁部２７は、円環状の段部２７ａと、該段部２７ａの外周縁から上方に延出される略円筒状の段差部２７ｂの上端から径方向外側に突出した円環状の平板部分である円環平板部２７ｃを有する。外周縁部２７は、段部２７ａから径方向外側に延出され、ネジ等の取付部材により光制御部材５１を取り付けるためのネジ取付部２７ｄを有する。本実施形態では、光制御部材５１をネジ等の取付部材を用いて取り付けるためにネジ取付部２７ｄを設けたが、接着や嵌合等の取り付け方法を採用する場合には必ずしもネジ取付部２７ｄを設けなくても良い。段部２７ａは、図５に示すように、光制御部材５１の上端が係止される部分である。ネジ取付部２７ｄは、平面視略矩形状で段部２７ａの径方向外側に対向して配置されている。外周縁部２７が有する円環平板部２７ｃには、該円環平板部２７ｃの径方向において一対の器具取付部２７ｆが対向して配置されている。器具取付部２７ｆは、灯具主体２１をネジ等の取付部材によりフレーム部７１に取り付けるために開口して形成されたオーバル形状の長孔である。
【００２５】
電源部３１は、光源部４１が有するＬＥＤ素子４２に給電を行って、ＬＥＤ素子４２を点灯させるための電源装置である。電源部３１は、電源回路と、該電源回路を収容する電源ケース３２と、該電源回路を収容した電源ケース３２を灯具主体２１に保持するための板状の電源カバー部材３３を有している。電源ケース３２には、直方形状に加工されたプリント配線板上に複数の電子部品が実装された電源回路が収容される。電源ケース３２は、電源回路の周囲を覆うものである。電源カバー部材３３は、平面視半円形状の金属製の部材である。電源カバー部材３３は、電源ケース３２の一端を保持する平板状の保持部３３ａと、該保持部３３ａの一端と段差部３３ｂを介して連設され、保持部３３ａよりも下方に位置する凸円弧面部３３ｃを有している。凸円弧面部３３ｃには、ネジ等の取付部材により電源カバー部材３３を灯具主体２１のネジ孔に取り付けるためのネジ取付部３３ｄ（図３参照、本実施形態では、１箇所）が形成されている。電源部３１は、電源ケース３２が収容部２３の第１収容部２３ｂに収容されるとともに電源カバー部材３３により該第１収容部２３ｂの開口が覆われた状態で、ネジ等の取付部材により電源カバー部材３３が灯具主体２１に取り付けられる。このように電源カバー部材３３が灯具主体２１に取り付けられた状態において、灯具主体２１の外周縁部２７と段差部３３ｂと凸円弧面部３３ｃとにより区画される空間Ｓが形成されている（図３参照）。空間Ｓは、光源部４１で発生した熱を外部に放熱するための空間である。電源部３１は、家庭用電源等から供給される交流電流を所定の直流電流に変換し、変換後の電流を基板４３に実装された複数のＬＥＤ素子４２に供給するためのものである。電源部３１から延出される配線３６は、一端が電源部３１と電気的に接続され、他端に接続端子３４を有している。接続端子３４は、収容部２３の第２収容部２３ｃに配置される。接続端子３４には、配線３８の一端が電気的に接続されるとともに、配線３８の他端が電源コード４０の接続端子に電気的に接続される。例えば、照明器具１１を床面等の載置面に載置する際、電源コード４０を家庭用電源のコンセントに接続することで、電源部３１は家庭用電源と電気的に接続される。電源コード４０の中途部には、図示しないフットスイッチを有し、該フットスイッチにより照明器具１１のオン／オフが可能である。電源部３１と光源部４１は配線３７によって電気的に接続されている。
なお、本実施形態では、接続端子３４を使用しているが、特に限定するものではない。例えば、接続端子３４を使用する代わりに、端子台を使用する構成とすることもできる。
なお、本実施形態に係る照明器具１１では、収容部２３内に灯具主体２１に連設される隔壁２３ａを有する構成としているが、特に限定するものではない。
【００２６】
光源部４１は、灯具２０の照射面側（本実施形態では、下方及び側方）に向けて光を出射する部分である。光源部４１は、平面視においてグローブ６１の内部の中央付近に配置される。光源部４１は、電源部３１を収容した中央凸部２２の径方向外側を取り囲むように配置されている。光源部４１は、光源である発光素子を有するモジュール基板である。光源部４１は、電源部３１の外周側に少なくとも電源部３１を囲うように配置される。本実施形態においては、発光素子として、基板４３上に複数の光源であるＬＥＤ（Ｌｉｇｈｔ  ｅｍｉｔｔｉｎｇ  ｄｉｏｄｅ）素子４２が表面実装されたＬＥＤ光源モジュールを使用している。具体的には、ＬＥＤ光源モジュールは、所定幅を有する円環状に加工された基板４３表面に、複数のＬＥＤ素子４２が周方向に配列された発光モジュールである。光源部４１は、複数（本実施形態では、３つ）のネジ部材４９で光源取付部２５に取り付けられている。基板４３は、配線３７によって電源部３１と電気的に接続されている。ＬＥＤ光源モジュールは、基板４３の実装面の裏面が光源取付部２５の取付面２５ａに当接して固定されるため、ＬＥＤ光源モジュールが発熱した際には、ＬＥＤ光源モジュールの熱が灯具主体２１に伝わる。灯具主体２１に伝わった熱は、灯具主体２１の温度よりも周辺温度が低い場合、灯具主体２１周辺の空気（例えば、突出片２５ｂの近傍の空気）へ伝わる。これにより、灯具主体２１に伝わった熱は、取付面２５ａを介して灯具主体２１の取付面側に放熱される。光源部４１は、フレーム部７１により反射板８１に対向して支持されている。
なお、本実施形態では、光源として表面実装型のＬＥＤ素子４２を用いたが、光源の種類はＬＥＤ素子に限定されず、例えばＣＯＢ型発光モジュールや有機ＥＬ素子（ＯＬＥＤ）などを用いても実現可能である。
また、基板４３は、熱伝導性シート（図示せず）や放熱グリスを介して光源取付部２５に取り付けてもよく、これにより、より高い放熱性を得ることもできる。
【００２７】
光制御部材５１は、少なくとも光源部４１の照射面側を覆うように灯具主体２１に取り付けられ、光源部４１（ＬＥＤ素子４２）からの光を反射及び拡散させつつ、外部へ配光制御する透光性の部材である。光制御部材５１の全体形状は、平面形状が円形であり、下方に向かって緩やかにドーム状に膨らんでいる。光制御部材５１は、透光性を有する樹脂素材で形成されている。光制御部材５１は、その最大内径寸法が灯具主体２１の段差部２６の外径寸法よりも大きく（図５参照）、該段差部２６に係合可能である。光制御部材５１は、ＬＥＤ素子４２に埃などが付着することを防止するものである。光制御部材５１は、その側面に径方向外側に向けて突出して形成される、一対のネジ取付部５１ａを有している。ネジ取付部５１ａは、ネジ等の取付部材により灯具主体２１が有するネジ取付部２７ｄに取り付けられる。
なお、本実施形態では、中央凸部２２及び光源部４１の照射面側を覆うドーム状の光制御部材５１を用いたが、この形状に特に限定するものではない。例えば、ドーム状の光制御部材５１の代わりに、外形が半球状、円柱状や中央部が開口したリング状（ドーナツ状）の光制御部材を使用することもできる。
【００２８】
フレーム部７１は、側面視において略コ字状の部材であり、灯具２０を支持する部材である。フレーム部７１は、所定幅を有する帯状で金属製の板状部材である。フレーム部７１は、図５に示すように、天板部７２、側板部７３、及び取付部７４を有している。
【００２９】
天板部７２は、灯具２０を取り付けるための平板部材である。天板部７２は、長手方向の長さ寸法が灯具２０の直径寸法と略同じもしくはやや大きい。天板部７２の両端近傍には、ネジ部材７５を取り付けるための取付穴７２ａを有している。天板部７２の下側面には、灯具主体２１が有する器具取付部２７ｆを介して灯具２０の照射面側が下側になるように灯具２０がネジ部材７５により取り付けられる。
【００３０】
側板部７３は、天板部７２の両端から下方に延出され、対向して配置される一対の平板部材である。
【００３１】
取付部７４は、側板部７３の下端から一対の側板部７３の対向方向内側に延出される一対の平板部材である。一対の取付部７４は、ネジ部材８５を取り付けるための取付穴７４ａを有している。一対の取付部７４は、ネジ部材８５により反射板８１が取り付けられる部分である。これにより、灯具２０は、反射板８１と上下方向において所定間隔離間するとともに、反射板８１の中央の上方に支持される。
【００３２】
反射板８１は、円形状の略平板形状の部材である。反射板８１は、器具本体１２においてＬＥＤ素子４２に対向する位置に配置され、ＬＥＤ素子４２から出射された光を表面で反射する反射板である。反射板８１の表面（光源部４１との対向面）は、白色に塗装もしくは鏡面加工されており、光の反射面となる。反射板８１は、外周縁の近傍に沿って等角度間隔（本実施形態では、９０度間隔）にネジ部材９０を取り付けるネジ孔８１ａが開口形成されている。また、一対のネジ孔８１ａの対向方向の内側の近傍には、フレーム部７１の取付部７４を取り付けるためのネジ孔８１ｂが設けられている。反射板８１は、直径寸法がグローブ６１の開口部６７の直径寸法よりも大きく、反射板８１の周縁部が開口部６７の周縁部に係止された状態で、ネジ部材９０によりグローブ６１に取り付け可能である。反射板８１は、中央部に上方に突出する凹部８１ｃを有している。凹部８１ｃの中央には、開口部（図示せず）が設けられ、灯具２０から延びる配線３８の一端に取り付けられた接続端子が挿入されて取り付けられる。
【００３３】
グローブ６１は、器具本体１２を覆うように取り付けられ、光源部４１からの光を反射及び拡散させつつ、外部へ配光する部材である。グローブ６１は、光源部４１からの光、すなわち、光制御部材５１を通過した光を反射及び拡散させつつ、外部へ配光する透光性部材である。グローブ６１は、透光性を有する白色もしくは乳白色の樹脂素材で形成されている。または、グローブ６１を透明な樹脂素材で形成し、その内側面を白色もしくは乳白色に塗装してもよい。グローブ６１の外形形状は、平面視において円形状であって、側面視においてオーバル形状である。グローブ６１は、径方向外側に向けて凸状で湾曲状の外壁部６２と、該外壁部６２の上端から延出される凹部６３と、外壁部６２の下端から径方向内側に延出される平面視円環状の底部６４と、該底部６４の周方向に等間隔に複数（本実施形態では、５個）配置された下方に凸状の凸部６５と、底部６４の縁部から径方向内側に延出される平面視円環状の取付部６６とを有している。外壁部６２の内面は、径方向外側に凸状の曲面形状を形成している。取付部６６の内周縁部には、器具本体１２を収容可能な開口部６７が形成されている。開口部６７の直径寸法は、反射板８１の直径寸法よりも小さく、該反射板８１の外周縁部が取付部６６の下面に係止される。グローブ６１は、器具本体１２の周囲を覆った状態で器具本体１２が有する反射板８１がグローブ６１の取付部６６にネジ部材９０により取り付けられる。凹部６３は、グローブ６１の外側に開口するとともに有底略円筒状の部分であり、略円筒状の周壁部６３ａ及び該周壁部６３ａの下端から延設される平面視円形状の底部６３ｂを有している。凹部６３は、観葉植物の鉢等の収容物が収容可能である。底部６３ｂには、凹凸部６３ｃが形成されており、機械的強度を高める。そのため、収容物が収容された際に、収容物の重量を十分に保持することができる。底部６３ｂの下面には、フレーム部７１（天板部７２）を介して灯具２０の裏面が近接した状態で配置される。グローブ６１は、グローブ６１の内部の清掃や器具本体１２の部品交換等のために、器具本体１２に対して着脱できる構造となっている。なお、本実施形態におけるグローブ６１の形状は一例であって、その他形状、例えば円筒状や角筒状などにすることもできる。
また、本実施形態における凹部６３の形状は一例であって、有底円筒状の他、有底角筒状など、凹部６３に収容する観葉植物の鉢等の形状に合わせた形状にすることができる。また、凹部６３を複数形成してもよい。
【００３４】
また、上述したグローブ６１は、白色もしくは乳白色の樹脂を用いて形成しているが、特に限定するものではない。例えば、白色以外の着色剤を部材中に添加したり、白色層を塗装や印刷、シール等で形成してもよい。また、グローブ６１は、光透過率の異なる複数の部材を組み合わせて形成することもできる。例えば、外側面側グローブ部材よりも光透過率の低い内側面側グローブ部材を貼り付けた二重構造のグローブ６１を形成することもできる。これにより、グローブ６１に入射した光を拡散させることができる。
【００３５】
以上説明した本実施形態に係る照明器具１１によれば、グローブ６１がその外側に開口する凹部６３を有し、光源部４１のＬＥＤ素子４２から出射された光を拡散する光制御部材５１を有し、器具本体１２がＬＥＤ素子４２と対向する位置に該ＬＥＤ素子４２から出射された光を反射する反射板８１を有している。これにより、光源部４１からの光は、まず光制御部材５１によって反射や拡散等の制御がされて直下方向や側面方向に拡散される。直下方向に出射した光は、反射板８１によって反射される。反射板８１によって反射された光は、グローブ６１の内側面で反射して、光源部４１の照射方向とは反対側のグローブ６１の上端付近まで光が拡散する。また、光制御部材５１で拡散された光は、グローブ６１の内側面の広い領域へと照射される。そのため、ＬＥＤ素子４２のような光の指向性の強い光源を用いても、グローブ６１の内側面の広い領域に光を拡散させることができる。よって、ネオン管のように高電圧を印加したり、高い加工性を必要とせず、取扱いが容易なＬＥＤ素子４２のような光源を利用して、均一発光を実現した照明器具１１を提供することができる。本実施形態では、光源部４１からの光を光源部４１の直下方向と側面方向を覆うように形成された光制御部材５１により拡散させている。そのため、透光性のグローブ６１の内側面のより広い領域に向かって光源部４１からの光を出射させることができるので、グローブ６１から通過する光の領域を広くすることができ、グローブ６１を介してより均一に光を照射することができる。
【００３６】
また、本実施形態では、光源部４１は、平面視においてグローブ６１の内部の中央付近に配置されている。これにより、照明器具１１の側方に均一な発光を得ることができる。
【００３７】
また、本実施形態では、光源部４１は、フレーム部７１により反射板７１に対向して支持されている。このように、光源部４１の対向にして反射板８１を支持したことにより、光源部４１からの光を反射板８１により効率的に反射することができ、グローブ６１の広い領域に光を通過させることができる。
なお、反射板８１の形状は、本実施形態に限定するものではなく、湾曲状や凸状であってもよい。
【００３８】
また、本実施形態では、グローブ６１は、その内面に曲面形状を有している。すなわち、グローブ６１の外壁部６２の内面は、径方向外側に凸状の曲面形状を形成している。これにより、光源部４１から出射した光が、グローブ６１の内面によって反射や拡散されるため、より均一な光を得ることができる。
なお、上記曲面形状は、本実施形態に限定するものではなく、凸状以外にも凹状や、凸状と凹状を組み合わせた形状であってもよい。
【００３９】
また、本実施形態では、グローブ６１の凹部６３の底部６３ｂと隣接するように、器具本体１２を配置している。グローブ６１の凹部６３には、観葉植物の鉢等の収容物が収容されるため、当該凹部６３に向けて光を出射する必要が無い。そのため、本実施形態の照明器具１１では、底部６３ｂと隣接するように器具本体１２の灯具２０を配置して、底部６３ｂ方向に対して反対方向（下側）に向けて光を照射する構成としている。これにより、光をより効率的に拡散させることができる。
【００４０】
また、本実施形態では、光を拡散させる構造として、光制御部材５１とグローブ６１からなる二重構造となっており、光源部４１と照明器具１１の外部との間に二つの空間を有する構造である。これより、光源部４１から出た光が２段階で拡散されるため、照度ムラを軽減することができる。
【００４１】
以上、本発明の実施形態について説明したが、本発明は上記実施形態に限定されるものではなく、様々な変更が可能である。例えば、照明器具の形状が平面視において略円形状以外の形状であってもよく、例えば長方形状、多角形状やその他の形状としてもよい。また、本実施形態では、中央凸部２２を囲うように光源部４１を円周状に形成したが、これに限らず、多角形状、半円状、扇形、もしくはそれら形状を組み合わせた形状など用途に合わせて適宜変更することができる。
【符号の説明】
【００４２】
１１    照明器具
１２    器具本体
２０    灯具
３１    電源部
４１    光源部
４２    ＬＥＤ素子
５１    光制御部材
６１    グローブ
６３    凹部
６３ｂ  底部
７１    フレーム部
８１    反射板
【図１】
2017157350.tif 000003
【図２】
2017157350.tif 000004
【図３】
2017157350.tif 000005
【図４】
2017157350.tif 000006
【図５】
2017157350.tif 000007
【図６】
2017157350.tif 000008